(57)【要約】  【課題】  本発明は、２つのケースを結合する際の組み立て製およびコストの点で好適な筐体の固定構造を提供することを目的とする。【解決手段】  第１の係合突起４０ａ，４０ｂは係合爪４１ａ，４１ｂを有し、係合突起４０ａ,４０ｂは係合孔４２ａ，４２ｂを持つ。第２の係合突起５１ａ，５１ｂは係合爪５２ａ，５２ｂを持つ。回路基板６０には貫通口６１が設けられている。貫通口６１に係合爪４１ａ，５１ｂが係合される。上ケース５を押し込むと傾斜面５４ａ，５４ｂは係止片７０の傾斜面７１，７２に当接する。上ケース５をさらに押し込むと、傾斜面５４ａ，５４ｂが傾斜面７１,７２により第１の係合突起４０ａ，４０ｂ方向に押され係合爪５２ａ，５２ｂは係合孔４２ａ，４２ｂに入り込み第１の係合突起４０ａ，４０ｂと第２の係合突起５１ａ，５１ｂとが係合される。【選択図】  図４
2007156553.tif 000002
【特許請求の範囲】
【請求項１】
それぞれ開口部が設けられるとともに互いに離間して設けられた一対の第１の係合突起が設けられた第１の部材と、
前記第１の部材と対向するとともに、一対の第２の係合突起が設けられた第２の部材と、
貫通口を有した第３の部材と、を有し、
前記一対の第1の係合突起は、前記貫通口に貫通して前記貫通口の縁部に係合され、前記一対の第２の係合突起は前記一対の第１の係合突起の間に挿入されるとともに、前記一対の第１の係合突起の開口部に係合されることで前記第３の部材を前記第1の部材と第２の部材との間に固定することを特徴とする固定構造。
【請求項２】
前記一対の係合突起の間には、前記第１のケースと一体形成された係止片が設けられ、前記一対の第２の係合突起が前記一対の第１の係合突起の前記開口部に係合された状態において、前記係止片は前記一対の第２の係合突起の間に位置することを特徴とする請求項１記載の固定構造。
【発明の詳細な説明】
【技術分野】
【０００１】
本発明は、ノート型コンピュータ等の電子機器にかかり、特に３つの部材の固定構造に関する。
【背景技術】
【０００２】
一般に、ノート型コンピュータ所謂、ノートブック型パーソナルコンピュータ（以下、コンピュータと称する）は、本体と、この本体に回動可能に結合された表示部とを有している。通常、本体筐体や表示部筐体は２つのケースを結合することで筐体が形成されている。たとえば、表示部筐体は表示パネルが搭載される表示部ケースとこの表示部ケースに結合される表示マスクとを有している。表示マスクと表示部ケースとの結合は、表示マスクに設けられたラッチを表示部ケースに結合したのち、表示部ケースと表示マスクとをねじ固定することで表示部筐体を形成している（特許文献１参照）。
【特許文献１】特開２００４−２８０３３１号公報（段落番号００３９，００４９、図６、８参照）
【発明の開示】
【発明が解決しようとする課題】
【０００３】
特許文献１に記載の従来の方法では、表示マスクと表示部ケースとをねじを介して強固に結合することは可能であるが、ラッチ結合工程の外にねじ止め作業を要し、さらには表示部筐体を本体筐体に閉じた際に生じる衝撃吸収のための緩衝材（ゴム等）をねじの上に貼り付けたりする作業を要するために、組み立て製、コストの面で好ましくない。
そこで本発明は、２つのケースを結合する際の組み立て製およびコストの点で好適な筐体の固定構造を提供することを目的とする。
【課題を解決するための手段】
【０００４】
上記目的を達成するために本発明の固定構造は、それぞれ開口部が設けられるとともに互いに離間して設けられた一対の第１の係合突起が設けられた第１の部材と、第１の部材と対向するとともに、一対の第２の係合突起が設けられた第２の部材と、貫通口を有した第３の部材と、を有し、一対の第1の係合突起は、貫通口に貫通して貫通口の縁部に係合され、一対の第２の係合突起は一対の第１の係合突起の間に挿入されるとともに、一対の第１の係合突起の開口部に係合されることで第３の部材を第1の部材と第２の部材との間に固定することを特徴とする。
【発明の効果】
【０００５】
本発明によれば、２つのケースを結合する際の組み立て製およびコストの点で好適な筐体の固定構造を提供することが可能である。
【発明を実施するための最良の形態】
【０００６】
以下、図面を参照して本発明の実施形態について詳細に説明する。図１は、電子機器の斜視図である。
【０００７】
ノート型コンピュータ（電子機器）１は本体筐体２と、この本体筐体２に結合される表示部筐体３とを有している。本体筐体２は下ケース（第１の部材）４と、この下ケース４に結合される上ケース（第２の部材）５とを有している。上ケース５の上面６の全部にはパームレスト７が設けられている。上面６にはキーボード載置部８が設けられており、このキーボード載置部８にはキーボード９が着脱自在に搭載されている。パームレスト７の略中央にはポインティングデバイス１６が設けられている。
【０００８】
表示部筐体３は表示部ケース１０を有しており、この表示部ケース１０には表示マスク１１が結合されている。表示部ケース１０と表示マスク１１とで形成される表示部筐体内には表示パネル（ＬＣＤ）１３が内蔵されている。表示マスク１１はＬＣＤ１３の表示面を露出するための開口部１２が設けられている。
【０００９】
本体筐体２の後部には表示部筐体３を結合するための凹状に形成された一対の結合部１４ａ，１４ｂが設けられている。表示部筐体３は結合部１４ａ，１４ｂに結合される一対の脚部１５ａ，１５ｂを有している。結合部１４ａ，１４ｂと脚部１５ａ，１５ｂとは図示しないヒンジ装置により結合されることで表示部筐体３は本体筐体２に対して回動可能となる。
【００１０】
図２は、上ケースと下ケースと回路基板を示す分解斜視図である。本体筐体２内部には回路基板（第３の部材）６０が内蔵されている。下ケース４の内面からは台座４ａ、４ｂが突出して形成されている。台座４ａ，４ｂは下ケース４と一体形成されている。下ケース４の内面にはさらに一対の第１の係合突起４０ａ，４０ｂが下ケース４と一体形成されている。これら第１の係合突起４０ａ，４０ｂの先端には係合爪４１ａ，４１ｂが設けられている。さらに係合突起４０ａ,４０ｂには係合孔４２ａ，４２ｂが設けられている。一対の係合突起４０ａ，４０ｂの間には係止片７０が下ケースと一体形成されている。係止片７０は三角形上に形成されており、傾斜面７１，７２を有している。
【００１１】
回路基板６０には一対の係合突起４０ａ，４０ｂが貫通可能な大きさの貫通口６１が設けられている。
【００１２】
上ケース５の内面には台座５ａ，５ｂが突出して形成されている。台座５ａ，５ｂは上ケース５と一体形成されている。上ケース５の内面にはさらに一対の第２の係合突起５１ａ，５１ｂが上ケース５と一体形成されている。これら第２の係合突起５１ａ，５１ｂの先端には係合爪５２ａ，５２ｂが設けられている。
【００１３】
図３は、回路基板を実装した状態の下ケースに上ケースを結合する前の状態を示す断面図である。図４は、上ケースと下ケースと回路基板とを結合した状態を示す断面図である。
【００１４】
まず、図３に示すように、下ケース４に回路基板６０を実装する。回路基板の貫通口６１に一対の第１の係合突起４０ａ，４０ｂを貫通させるように実装する。このとき回路基板６０の下面６０ａが下ケース４より突出している台座４ａ，４ｂの上面４ｃ，４ｄに当接するまで、回路基板６０の貫通口６１に第１の係合突起４０ａ，４０ｂを挿入する。図示はしないが台座は回路基板の大きさに合わせて適宜配置すれば良く、２つに限らず、剛性、仕様に合わせ必要な数だけ配置すればよい。
【００１５】
回路基板６０を台座４ａ，４ｂに当接するまで実装すると、回路基板６０の貫通口の縁部に一対の第１の係合突起４０ａ，４０ｂの係合爪４１ａ，５１ｂが係合される。係合爪４１ａ，４１ｂには係合部４３ａ，４３ｂが設けられており、この係合部４３ａ，４３ｂが貫通口６１の縁部に係合されることで回路基板６０が下ケース４に確実に実装されることになる。この貫通口６０と一対の第１の係合突起４０ａ，４０ｂの係合構造を回路基板６０の大きさにあわせ４角、中央付近等適宜適用すれば、従来のよう回路基板をねじにより固定するという工程は不要になるため、コスト、組み立て性が良好になる。
【００１６】
次に、下ケース４に回路基板６０が実装された後に上ケース５を下ケース４に結合する方法について説明する。上ケース５の一対の第２の係合突起５１ａ，５１ｂの係合爪５２ａ，５２ｂは、一対の第２の係合突起５１ａ，５１ｂの外方に向かって傾斜している傾斜面５３ａ，５３ｂと、一対の第２の係合突起５１ａ，５１ｂの内方に向かって傾斜している傾斜面５４ａ，５４ｂを有している。傾斜面５３ａ，５３ｂと傾斜面５４ａ，５４ｂとでそれぞれ構成される先端５５ａ，５５ｂの間隔は一対の第１の係合突起４０ａ４０ｂの間隔よりも狭くなっている。そのために傾斜面５３ａ，５３ｂが第１の係合突起４０ａ，４０ｂの互いに対向する側に入り込んでいく。上ケース５を押し込んでいくと傾斜面５３ａ，５３ｂが第１の係合突起４０ａ,４０ｂに互いに近づく方向に弾性変形するその状態でさらに上ケース５を下ケース４方向に押し込む。
【００１７】
図４に示すように、上ケース５を押し込むと第２の係合突起５１ａ，５１ｂの傾斜面５４ａ，５４ｂは係止片７０の傾斜面７１，７２に当接する。上ケース５がさらに押し込まれると、傾斜面５４ａ，５４ｂが係止片７０の傾斜面７１,７２により第１の係合突起４０ａ，４０ｂ方向に押されるようになる。そのため第２の係合突起５１ａ，５１ｂの係合爪５２ａ，５２ｂは第１の係合突起４０ａ，４０ｂの係合孔４２ａ，４２ｂに入り込み第１の係合突起４０ａ，４０ｂと第２の係合突起５１ａ，５１ｂとが係合される。さらに第２の係合突起の間には係止片７０が存在するために用意に第１の係合突起４０ａ,４０ｂと第２の係合突起５１ａ，５１ｂとの係合が解除されるようなことは無い。また、上ケース５内面に設けられている台座５ａ，５ｂは回路基板６０の上面６０ｂに当接される。このような構成により回路基板６０は上ケース５および下ケース４との間に確実に固定される。
【００１８】
以上説明したような構成により、上ケースと下ケースとの結合および上ケースと下ケースとその間に位置する回路基板の係合を容易に結合することができる。
【００１９】
また、本実施の形態においては上ケース、下ケース、回路基板の結合について説明したが、回路基板の変わりに他の構成部品、たとえばヒンジデバイス等でも良く、また、上ケースと下ケースだけの結合に適用しても良い。また、上ケースあるいは下ケースの内面に部品を取り付けるような場合に上ケースあるいは下ケースと構成部品および構成部品を上ケースあるいは下ケースに取り付けるための別部品を結合させるようにしても良い。この場合は別部品に上ケースあるいは下ケースに第１の係合突起を設け、別部品に第２の係合突起を儲け、構成部品に貫通口を設けることで、本実施の携帯と同様に容易に結合することができる。
【００２０】
以上説明したように、２つあるいは３つの部品の結合において極力ねじを使用することなく容易に互いを結合することが可能である。
【図面の簡単な説明】
【００２１】
【図１】電子機器の斜視図。
【図２】上ケースと下ケースと回路基板を示す分解斜視図。
【図３】回路基板を実装した状態の下ケースに上ケースを結合する前の状態を示す断面図。
【図４】上ケースと下ケースと回路基板とを結合した状態を示す断面図。
【符号の説明】
【００２２】
１…ノート型コンピュータ（電子機器）、２…本体筐体、３…表示部筐体、４…下ケース（第１の部材）、５…上ケース（第２の部材）、４ａ，４ｂ、５ａ，５ｂ…台座、６…上面、７…パームレスト、８…キーボード載置部、９…キーボード、１０…表示部ケース、１１…表示マスク、１３…表示パネル（ＬＣＤ）、一対の第１の係合突起４０ａ，４０ｂ、４１ａ，４１ｂ…係合爪、４２ａ，４２ｂ…係合孔、４３ａ，４３ｂ…係合部、５１ａ，５１ｂ…一対の第２の係合突起、５２ａ，５２ｂ…係合爪、５３ａ，５３ｂ、５４ａ，５４ｂ…傾斜面、５５ａ，５５ｂ…先端、６０…回路基板（第３の部材）、６１…貫通口、７０…係止片、７１，７２…傾斜面
【図１】
2007156553.tif 000003
【図２】
2007156553.tif 000004
【図３】
2007156553.tif 000005
【図４】
2007156553.tif 000006